(57)【要約】【課題】従来の生理用品は、経血漏れや広がりを防止するのに不十分であり、不経済でもあり、また扱いにくいという問題があったので、本発明は、経血を効率よく吸収し広がりを抑え、安定感があり扱いやすいものとした。【解決手段】上面を凸状に形成した、突部分が股の溝にはまるような、女性器から臀部まで程の長さがある本発明の生理用品を、股の溝に挟み使用することで、広がりとともに漏れを防止することができる。土台となるような部分を持つことと、長さにより安定し、構造もシンプルで扱いやすいことなどを特徴とする。【選択図】  図１
2006239356.tif 000002
【特許請求の範囲】
【請求項１】
人体の股の溝に挟むことによって、女性器から臀部にかけての溝を埋める、上面を凸状に形成した、突部分が股の溝にはまるような、女性器から臀部まで程の長さがある生理用品
【請求項２】
人体の股の溝に添うように、縦長方向の後方へいくにつれて、突部分を高くした、請求項１の生理用品
【請求項３】
人体の股の溝に添うように、前後にカーブをつけた、請求項１または請求項２の生理用品
【請求項４】
平らな状態、またはほぼ平らな状態のものを二つ折りのような状態にして、請求項１または請求項２または請求項３の形状にすることのできる折り畳み式の請求項１から３の生理用品
【請求項５】
縦長方向を、前は臍より下あたり、後ろは腰より下あたりまで、帯状にして長さを延長した、その端の、両方またはどちらか一方を下着に貼り付けることができる、帯付きの請求項１から請求項４の生理用品
【請求項６】
請求項１または請求項２または請求項３の、生理用品の底部を幅広にし、両側を盛り上がらせ、裏面を下着に貼り付けることができる、断面が山形状の生理用品
【発明の詳細な説明】
【技術分野】
【０００１】  本発明は、女性の生理中における経血の漏れを防止するとともに、経血の広がりを抑える生理用品に関する。
【背景技術】
【０００２】  従来の女性用生理用品として、女性器から臀部までの長さがあり、その底面の大部分を下着に付着させる、ナプキンが一般によく使用されている。【０００３】  ナプキンから下着などへの経血漏れの対策として、従来のナプキンは、横から漏れるのを防ぐため、横に一部幅を増したもの、横一部に薄い壁を付けたものがある。また、就寝中に後ろから漏れるのを防ぐため、臀部側を幅広にしたり、尻の窪みにあたる部分を中心に丘隆状にし、それ以上、後ろへ経血が流れ出ないようにしたものがある。さらに、幅広としていった結果、おむつ型のものまであるが、かさばるし、コストもかかり、無駄な部分が多く、ほとんど普及していない。【０００４】  ナプキン上での、経血の広がりを抑えるための対策としては、吸収シートと称したすばやく液体を吸収する素材を用いてはいるが、人が立ち上がったりなどしたときに、急に多めの経血が出るのに対し、ナプキンが液体を吸収するのにはやはり多少の時間がかかるため、その急な経血の勢いに追いつかないなどにより、それほどの効果はない。また、それに加えて、体は動くので、ナプキンは変形するし、吸収シートにうまく経血が乗るとは限らない。吸収シートをもうけているのにもかかわらず、先述したような対策をしなくてはならないことが、さほど効果がないことを裏付けている。経血の広がりを抑えるための対策として、もうひとつ挙げられるのは、ステッチを施すことにより、両側から圧力がかかったときに、ステッチの内側が盛り上がることで体に密着し、経血の広がりを抑えようとするものである。しかし、実際は、太ももによる圧力で、ステッチ内側が盛り上がっても、それよりも外側の方が高くなることの方が多いため、経血はステッチの外側にも付くことになり、体に密着するとは言い難く、さほど効果はない。【０００５】  他の生理用品として、膣に直接、棒状の経血を吸収する素材を挿入する、タンポンと称するものがあるが、膣に直接挿入するという行為自体に抵抗感があり、また挿入したまま忘れてしまうのでは、と言う不安もあり、また、膣の位置を探さなくてはならず、スムーズに挿入できないこともある。はずすときは、経血で手が汚れたりすることも多い。等の理由からナプキンほどは普及していない。タンポン使用時でも一般にナプキンを併用し、タンポンが経血の容量を越えた場合、経血の流れは、ナプキン使用時と同じになる。【０００６】  なお、本願発明に関連する公知技術として次の特許文献を挙げることができる。【０００７】
【特許文献１】  特開平１０−２８６２７８号広報
【特許文献２】  特開２００２−１７７７７号広報
【特許文献３】  特開２００２−１５９５３４号広報
【発明の開示】
【発明が解決しようとする課題】
【０００８】  以上に述べた従来の生理用品では、経血の広がりを抑えることはできず、漏れ防止の対策もされているがその効果も十分とは言いえない。それは従来のナプキンは、体に添ったものではないからと言える。ナプキンは、その底面を全体的に下着に付着させ、下着と一体化しているため、人の動作に対し、ずれが生じ、経血がナプキンの広範囲に付き、漏れの原因ともなる。従来のナプキンは、下着に対しては、ずれないが、膣に対しては、ずれるのである。従来のナプキンでは、人の動きに付いてこれず必ず膣との間に空間が生まれるのである。【０００９】  また、いくら一部を丘陵状にしたり、ステッチや壁を設けるなどして、立体化させても、体に添ったものでないため、あまり効果がない。確かに使用前は、施された工夫は、その目的どおりの形である。日常で、脚を横に開脚したままであれば、もしくは、装着者が動くにしても、横から単純な圧力を加えるだけの動作であれば、その工夫は、十分に目的を果たすだろうが、実際、使用すると、ほとんど常に股は閉じた状態で、ナプキンは常に横からの圧力がかかった状態であり、さらに、歩行などによる、左右別々に前後上下の動きが複雑に加わる。つまり、ナプキンを装着した時点から、ナプキンは変形するのであり、従来のナプキンに施された工夫は、十分な効果を発揮できないのである。例えば、ナプキンの両サイドに、横漏れ防止のための薄い壁を設置している場合、横から圧力が加わったとき、いくらステッチが施してあり、内側が横からの圧力により、盛り上ることで膣とナプキンを近づけようとしても、ナプキンは太ももの圧力により、外側の方が高くなり、膣とナプキンは離れ、高くなった外側に薄い壁が設置してあり、実際薄い壁の上方に経血がつくことが多い。【００１０】  人体は、膣から臀部にかけて窪んでいるため、従来のナプキンでは、膣との間に必ず隙間があり、装着者が直立不動であれば、膣から真下に経血は落ちるが、人が動くことにより、経血はその隙間を自由に流れナプキンを広範囲に汚し、膣周辺にも経血が付き、不快感が生じる。さらに、上記のような変形が加わり、経血が広範囲に付き、漏れるのである。【００１１】  加えて、従来のナプキンには、ごみ問題が考えられる。広範囲に汚れたナプキンは、不快感があるため、トイレに行く度などに取り替えることになるが、そのとき、ナプキンの状態は、広範囲に経血が付いている割に、吸収する容量を、ほとんど満たしていないのである。それでも、不快感があるので、容量を満たすまで使い続けることはほとんどない。したがって、従来のナプキンは、その大きさに対し無駄が多く、ゴミとして環境にかなりの負担をかけている。それを、多くの女性が使用するため、ナプキンの廃棄量は多大なものと考えられる。漏れを防ぐと称して、ナプキンが大きくなればなるほど、無駄なゴミが多くなると言える。【００１２】  文献１から３の生理用品は、ナプキンと膣との隙間を埋め、下着でなく体に密着させる生理用品である。一般には出回ってはいないが、以下のような問題が考えられる。まず、付着剤のようなものや付着するような素材を用いると考えられる部分を、皮膚に付着させて固定する、と言う案は、生理中は体がデリケートになっていること��あり、付着剤のようなもの、あるいは付着する素材によってかぶれるのではないかと言う不安が生じたり、違和感があるなどの可能性が考えられ、そのことが抵抗感となり、一般には受け入れられにくいと思われる。抵抗感があるものは、一般に受け入れられにくいと考えられるのは、タンポンがその使用方法における抵抗感により、それほど普及していないことからも言える。【００１３】  また、上記のような方法で、皮膚に付着させるのではないにしても、文献１と２から考えられる長さでは、短く、前後のずれに対応できないこともあるし、装着するときや、はずすときに、手に経血が付くので、こちらも、タンポン同様あつかいにくくなる。その前後のずれを防ぐために、皮膚に付着させ固定すると、また上記の問題が出る。また、ナプキン中央に連結させると、取り外し可能であっても、手に、経血が付いてしまう。手が汚れると言うのは、思った以上に、あつかいにくく、その後手を洗うまで、服や持ち物やドアなどさまざまなものを汚してしまう。また、構造が複雑になると、製造しにくく、コストがかかり利用しにくくなる。取り外した後のナプキンの表面は痛むし、ナプキンを取り替えたくなり、取り外しの意味もなくなり、結局不経済になる可能性もある。【００１４】  文献１から３は、特に１によると、断面の形は、あてがいやすく漏れにくい形であれば、細長の断面の形はこだわらない、とあるし、あてがいやすく漏れにくい形状ではあるが、下着やナプキンと、全く独立させ、体にも固定させない、ただ窪みにあてがうだけの場合、これらの細長状の生理用品は、あてがいやすく漏れにくいだけでは、不十分である。この形では、不安定であり、はずれやすい可能性がある、と言う不安が生じる。そうすると、一般には受け入れられにくい。これらの形では、溝から外れたときに、転がると考えられる。たとえ断面を三角や四角やその他の多角形にしても、溝から一旦外れると、人の動きによって転がるおそれが出てくるのである。【００１５】  以上のような問題を解決するために、本発明の生理用品は、体の動きに対応し、効率よく経血を吸収するとともに経血の広がりを抑え、形状を安定感のあるものとし、ゴミも減り、構造がシンプルで、産業上利用しやすく、一般に受け入れられやすくするのを、目的とする。
【課題を解決するための手段】
【００１６】  上述の目的を達成する本発明の生理用品は、人体の股の溝に挟むことによって、女性器から臀部の溝を埋める、かつ、溝から外れにくくするため、また、ずれても溝に戻りやすくするため、上面を凸状に形成した、突部分が股の溝にはまるような、女性器から臀部まで程の、長さがある生理用品である。この長さと形状により、皮膚に貼り付けることをしなくても、膣と本発明品の密着を保てるようにした。また、女性器から臀部の溝を埋め、臀部側に行くにしたがって、突部分を溝の深さに対応するように、高く形成することによって、より外れにくくした生理用品である。また、これらの生理用品が、前後へ大きくずれてしまうのを、より防ぐため、股の溝に添うようにカーブをつけた生理用品である。【００１７】  上記の本発明の生理用品を、より構造をシンプルにしたものとして、平らな状態、または、ほぼ平らな状態に製造し、使用時に中心で二つ折りのような状態にして、それによって生じる突部分を、股の溝に挟み、前方の溝に入らない下部分を、使用者が自分で開くことにより、土台となるような部分を形成することができ、上記の生理用品の形状にして使用する、折畳式の生理用品も発明した。使用者が使いやすくするため、その折畳式のものを、あらかじめ突部分と成る箇所を、折り畳んで提供することもできる。製造の時点で、二つ折りにしたときに形成される突部分を、より股の溝に添うようにカーブさせておくこともできる。【００１８】  本発明の生理用品は、体やナプキンや下着とは、独立して使用するのが主な使用方法であるが、外れてしまうのではと言う不安がある場合は、縦長方向を、前は臍より下、後ろは腰の下あたりまでの長さを延長した薄い帯を有し、その端のどちらか一方、または両方を下着の臍より下あたりや腰の下あたりに付着させられるようにしたものを使用する。【００１９】  上記の生理用品は、主に、従来のナプキンと併用して使用することにより、目的を達するが、併用せずに使用したい場合は、本発明の生理用品の底部を従来のナプキンくらい、幅広にし、両側を盛り上がらせ、裏面を全体的に下着に付着させることができる断面が山形状の本発明の生理用品を使用すればよい。このとき、両側は従来のナプキンの薄い壁のようなものでなく、ある程度の厚みを持ったものとし、高さは、横から圧力がかかったときに中央の突部分より、高くならないほどの盛り上りとしておく。
【発明の効果】
【００２０】    下着やナプキンと全く独立させることで、人体との一体化を計ることができ、体の動きに連動し、膣から臀部にかけての隙が埋まった状態を保つため、経血の広がりを抑え、漏れを防ぐことができる。【００２１】  本発明品は、膣から臀部まで程の長さが十分にあるため、歩行などにより、本発明品が前後に動いたとしても、膣が本発明品から外れてしまうことはなく、人の動きにより機能が損なわれることはない。また、女性器側の窪みより臀部側の方が深いため、この長さにすることにより、臀部側で本発明品をしっかり挟み込み、前方も安定させると言うねらいもある。それにより左右へのずれも防ぐことになる。またその長さを有することで、はずすときも、前後両端までには経血が及んでおらず、手を汚すことなく取り替えることができる。【００２２】  上面が凸状で、その突部分に対し土台となるような下部分を有することによる効果を述べる。本発明品は、ある程度の厚みを持たせた土台となるような下部分を有して、上面を凸状にすることで、安定感を持たせ、溝から外れにくくする。また、溝から外れたときでも、倒れたりしにくく、横に転がりにくく、左右にずれにくい。もし土台が薄すぎると、体の圧力により変形してしまう。ある程度の厚みがあると、変形を防げるし、変形してもその厚みと、突部分より広い幅に形成していることが相乗効果となり、機能は損なわれない。土台となるような部分がなく、単なる細長状であれば、断面が丸や三角や四角やその他の多角形であっても、一旦、溝から外れると、人の動きにより転がる恐れがある。【００２３】  また、その土台となるような部分を有することで、立ち上がったりしたときによる、急な多量の経血が、その勢いと量のため、突部分で受け止められなかったときも、土台部分に流れ伝わることで、経血の広がりを軽減する。その土台部分がないと、受け止めることができないため、その分が勢いですぐナプキンへ広がってしまう。従来技術のように、あてがいやすく漏れにくい、だけでなく、加えて、外れにくくて、広がりにくいのを特徴とする。【００２４】  土台となるような部分と、突部分から成る形状であるため、単なる細長状のものと比べ、溝だけでなく溝を含む臀部の丸みにも添う。つまり溝全体にフィットしているため、ずれにくいと言える。溝に挟む生理用品であるため、太ももによる圧力のため変形して機能が損なわれることもない。皮膚に貼り付けないので抵抗感なく使用できる。【００２５】  本発明品は、上記の長さや形状による相乗効果で、女性器から臀部にかけての溝が埋まった状態を保ち、皮膚に本発明品を直接貼り付けることをしなくとも、膣との密着を保てるのである。【００２６】  突部分を、後方へ行くにつれて高さを増すことによる効果を述べる。人体の股の溝は、臀部側の方が深くなっているため、それに合わせて突部分を高くすることで、その分溝に挟まっている面積が多くなるため、後方で溝から外れにくくなり、結果、後方から前方まで、より安定することになる。高さがあるため下へずれ落ちようとしても、下着やナプキンに当たり、ずれ落ちることはできず安定する。この場合は、臀部側の方は突部分だけでも、溝に挟まっている面積が多いため、溝から外れにくい。また��膣がその上方付近にはなく、経血が直接くるわけではないので、この場合、臀部側は土台部分はあってもなくても、効果を発揮できる。【００２７】  前後にカーブさせた場合による効果を述べる。より体に添わせる為に、前後にカーブをつけることで、歩行などにより大きく前後へずれてしまうのを、防ぐことができる。また、カーブさせることで、直線であれば、溝のカーブに添ってあてがっていても、独立して使う場合、装着時点では体に添わせていても、その後直線に戻ろうとする力が働くため、前後が溝から離れ易くなり、下着の方へ力が働き、この場合、下着がしっかりしていれば、直線であっても下着に押えられるため、全く直線に戻ってしまうことはないが、下着がゆるければ不安定になり、前後が溝から離れ、細長の一部しか溝に挟まってないことになるため、外れやすくなる。かといって、皮膚に貼り付けると言うのは、抵抗がある。その点カーブさせると、本発明の生理用品の前後とも溝に自然に密着して、ずれるのを防止できる。従来のナプキンでもカーブさせたものはあるが、もともと従来のナプキンは、膣に密着していないので、また下着によってカーブするし、まったく意味はないと思われる。【００２８】  折り畳み式の本発明の生理用品による効果を述べる。平らな状態、またはほぼ平らな状態に製造し、販売することができる折り畳み式の本発明の生理用品は、上記のいずれの生理用品に比べさらに構造が単純化されている。そのため、製造しやすく、安価で提供できると考える。また平らな状態なので、持ち運びしやすい。使用時に、自ら凸状に形成するというわずらわしさがあるのでは、と思われるかもしれないが、そのことによる利点の方が大きいと考える。使用時にまず二つ折りにして、それによって生じる突部分を股の溝に挟み、溝に入らない下部分を開くことにより、土台となるような部分を形成する。つまり、縦長方向のどの位置をとっても、自分の体に添った高さの突部分を形成することができるのである。この折り畳み式のものを、使用者がより使いやすいようにするため、あらかじめ突部分と成る箇所を折り畳んだような状態で、販売することもできる。また、製造時に、二つ折りしたときに形成される突部分を縦長方向にカーブさせ、より体に添うように加工しておくこともできる。【００２９】  当発明者は、実験で、独自で試作した、全く独立した本発明生理用品で、ウォーキングを含む日常生活を送った結果、どこにも貼り付けず挟んだだけにもかかわらず、ずれて落ちてしまうと言うことは一度も無かった。しかしずれ落ちるのではと言う不安がある人向けに、前後を帯状にして延長し、下着の臍下にあたる付近と、腰下にあたる付近に、その両端またはどちらか一方を付着させることで、その不安をなくすこともできる。もし、底を付着させると、ナプキンや下着に対する可動性が損なわれたり、経血で汚れているなどして取り外しにくくなったり、構造が複雑になりコストがかかるなどし、扱い難くなるため、前述したように、縦長方向の端を下着に付けることにした。膣から臀部の股の溝から離れた場所に付着させる理由は、膣から臀部では、下着やナプキンとは全く独立させ、溝に密着させた状態を保ちたいからである。【００３０】  これらの本発明品を、全く独立して使用するとき、また前後の端両方を、またはどちらか一方を下着に付着させて使用するとき、従来のナプキンを併用して使用するが、土台と成るような部分を有することで、本発明品が効率よく経血を吸収するので、従来のナプキンにまで経血が及ぶことが少なくなり、コンパクトな本発明品を取り替えるだけでよく、ナプキンの取替えの必要が減るため、ゴミ量が大幅に削減される。併用するナプキンは、本発明品が役割を果たすので、ごく普通のものでよく、大型のものや、壁付きのものは使用せずに済むため、経済的である。またエコロジーショップなどで売られている、繰り返し使用する布ナプキンと併用すれば、よりゴミ削減ができる。当発明者の場合、独自に試作した本発明品を実験的に使用しているが、朝一回ナプキンを取り替えただけで、日中は本発明の試作品を何回か取り替えるだけで、その後寝る前にナプキンを取り替える、というパターンが多い。就寝中も後ろへ経血が行かず、大きな効果を発揮するので朝もほとんどナプキンが汚れていないことも多い。経血量が少ない日などは、ナプキンが全く汚れていないことも多くある。その場合でも夜は一応ナプキンも取り替えるが、一日のナプキンのゴミ量は、激減する。たとえ本発明品を従来のナプキンと同じ回数取り替えたとしても、本発明品はナプキンに比べ容量が小さいため、やはり相対的に見てゴミ量は削減できる。また、従来のナプキンでは、少しの汚れでも、不快感が生じるが、本発明を取り替えれば、ナプキンが少し汚れていても、ナプキンと体は、密着していないため、経血による不快感がほとんど無い。経血が多い日は、４、５時間本発明品を取り替えられないこともあるが、その場合はナプキンにまで経血が及ぶが、経血は本発明品を必ず通過してからナプキンの方へ移るため、ナプキン上での経血の広がりを抑え、漏れを防ぐことができる。もし、土台となるような部分の無い、単なる細長状であれば、たとえ断面が丸や三角、四角、その他の多角形であっても、併用しているナプキン上で経血の広がりを、抑えることができても、特に急に多めの経血が出たとき、本発明品の場合は土台が受け止めるはずの経血が、土台部分が無いとナプキンへ流れるため、ナプキンの汚れは少なくなっても、避け難いと思われる。そうすると、人によるが、少しの汚れでも不快感を感じる人は、トイレに行く度にナプキンを変えるので、汚れの少ないナプキンが捨てられると言う、無駄が生じる。ゴミ削減についても、土台部分による効果は大きいと言える。【００３１】  全く独立して使用する本発明品は、接着剤なども使う必要が無く、水に溶ける素材を用いれば、トイレにそのまま流すこともできる。流さない方が環境によいなら流さなくてよい。コスト面から考えても、構造が単純であるため、安価で製造、販売し易いと考えられる。形状に安定感があり、見た目もシンプルで、安価で、使いやすく、一般に受け入れられやすいと考える。【００３２】  股の溝に挟んでいると、擦れたりしないかと言う不安が生じるかもしれないが、その点は、以下の実験により擦れないことが分かった。素材にトイレットペーパーを用いた本発明の試作品を、当発明者は実験のため何度も使用したが、擦れて素材がボロボロになることは��一度も無かった。それに対し、トイレットペーパーをナプキンのように、下着に貼り付けなしで、敷設して使用すると、前後には、大きくずれるし擦れてボロボロになった、つまり溝に挟まっていると、体の動きと連動するため、むしろ摩擦が少ないのである。よって、ずれにくく、素材が擦れることもほとんど無いのである。【００３３】  本発明品の幅広にして底を下着に貼り付けるタイプのものは、トイレに行く度にナプキンを取り替えたい人などに受け入れられやすく、ゴミ量の削減にはならないが、山形にすることで効率よく経血を吸収でき不快感が少なく扱いやすい。従来のナプキンは、太ももの圧力などにより変形した場合、いくら工夫を施しても広がりや漏れがあったが、本発明品は、山形にすることで、そういった問題を防ぐことができる。山形の両サイドを、横から圧力が加わっても、突部分の盛り上りより、低く形成することの効果は、山形の両サイドの盛り上りが邪魔することなく、突部分が溝からはなれにくくするため、突部分に経血が吸収されることにある。また、盛り上りを、薄い壁でなく、ある程度の厚みを持たすことで、両サイドでも経血を吸収でき、下着への漏れを防ぎ、変形も防ぐ。突部分は、溝に挟めるようにし、高さを与えることで、横からの圧力により、従来のナプキンであればＵ字型に変形するところを、山形状を保つため経血を捕らえやすい。
【発明を実施するための最良の形態】
【００３４】  以下、本発明の実施の形態を図面に基づき説明する。図１は、本発明の第１の実施の形態の外観斜視図である。１の土台となるような部分と、２の突部分からなる、上面を凸状に形成した、本発明の生理用品は、土台部分に適度に幅と厚みを持たすことにより、変形を防ぎ、安定し、突部分２が女性器から臀部までの溝から外れるのを防ぐ。もし、外れても土台があるため転がることは無く、溝に戻りやすい。土台が薄いと変形し、土台の効果が無くなる。突部分だけであれば、たとえ突部分の断面が、丸でなく、三角や四角やその他の多角形であっても、下着やナプキンに貼り付けず独立して使う場合、一旦外れると、体が複雑に動くことにより、転がって外れてしまう可能性が高い。土台があるなら本発明の突部分２はどのような形でもよい。突部分２は、形よりも、ある程度の適度な高さを持たすことの方が重要である。土台部分１と突部分２のつながりは、体に添うよう丸みを帯びていたり、なだらかな形であるのがよい。つまり、外郭が股の溝の両渕に添った形であるのが好ましい。また突部分と土台部分は一体化していてもよいが、別のものを上面と底面の素材でつなげるなどしてもよい。【００３５】  より体に添った形にして体への密着度を増すため、図１のように臀部の方の突部分を、なだらかに高くするとよい。図１のように縦長方向にカーブしていない本発明の場合は、そうすることでより密着度は増す。また、前方へ向かっては、低くし、前端では平らにするとよい。前端を平らにするのは、ごろつくからと言うのが主な理由ではなく、前方の位置によっては平らにしておいた方が、体形にそうからである。挟むときは自分の好きな位置に前端や後ろ端を持ってきてよいようにする。突部分と体の窪みが、大体合うようなところに持ってくるのが最適であるが、ぴったりでなくても突部分と土台部分があれば効果は十分ある。突部分を後方へ行くにつれて高さを増すと、後方は突部分だけであっても、必要な効果は発揮できるので、かまわない。【００３６】  図２は、本発明の第２の実施の形態であり、本発明の生理用品を股の溝に添って前後にカーブさせたものの、外観斜視図である。直線であれば、直線に戻ろうとする力が働く。下着で押さえられるため実際は直線になることは無いが、カーブをつけることで、より体への密着度が増す。カーブの度合いは緩やかでよいが、溝に添うようなカーブがよい。【００３７】  カーブしていない本発明品であっても、溝に添って挟むことによってカーブし、その状態を保つことができるような素材を用いるとよい。例えば、当発明者の実験によると、素材にトイレットペーパーを用いた場合、装着時に溝に添ってカーブさせることができ、その状態をよく保つことが分かった。まれに、状況によって、臀部側で直線になろうとし、溝から外れそうなこともあったが、下着に当たり全く直線になることは無いし、特に不都合を感じることは無かった。カーブを保ちにくいような素材であれば、カーブに加工しておくか、突部分を臀部側で高くするなどすればよい。【００３８】  第３の実施の形態は、図３のように折り畳み式である。平らな状態、ほぼ平らな状態、もしくは二つ折りにして販売するものを、使用時に二つ折りにすることで形成さ��る突部分２を溝に挟んで、余った下部分を、使用者が自ら開くことによって、土台部分１を形成し、上面を凸状とした本発明品の実施の形態第１や第２の形にして、使用する。製造時に、突部分２と成る箇所を、図８のように、カーブに加工しておくと、より体に添った形状となる。包装して販売するときは、平らな状態や、二つ折りでなくても、三つ折やそのほかコンパクトにして、包装するとよい。要は、使用時に、第１や第２の実施の形態の形になるように二つ折りのような状態になればいいということである。【００３９】  図４は、本発明の第４の実施の形態であり、第１から第３の実施の形態の縦長方向を、帯状にして延長させ、その両端、またどちらか一方を、下着の臍下あたり、臀部の下あたりへ、付着させることができるようにしたものである。本発明の生理用品の、突部分２を溝に挟むよう装着すれば、帯は、下着に対して、たるんでいても、張っていてもどちらでもよい。図４の帯は、本発明品の、上面を延長させたものであるが、別素材を用いてもよい。どちらか一方を付着させる場合、その一方だけを延長させてもよい。【００４０】  図５は本発明の第５の実施の形態の断面図であり、第１または第２の実施の形態の、本発明品の、土台部分１の幅を広くし、両横側を盛り上がらせ、断面を山形状にし、裏面を従来のナプキンのように、下着に全体的に付着させるものである。両横の盛り上った部分は、従来のナプキンのような薄い壁ではなく、敵度な厚みを持たせたなだらかな盛り上りであり、横から圧力がかかったときに、中央の突部分の方が高くなるようにする。そうすることで従来の生理用品は、横からの圧力によりＵ字型に変形するため、両サイドも汚れることが多かったが、本発明の生理用品であれば、山形状を保ち、突部分が股の窪みに近いため、経血の広がりを防ぐ。また両サイドの盛り上がりにも厚みを持たせたことで、経血を吸収することができ、下着の汚れを防止する。この場合でも前方は平らにした方が体形に添うのでよい。
【実施例】
【００４１】  本発明は縦長方向に１５ｃｍ以上あるのが好ましい。当発明者による実験においては、１７ｃｍ、１８ｃｍを最もよく使用した。実施の形態の第１から第４は、土台部分１は、幅は、例えば２ｃｍ以上、厚みは０．１ｃｍ以上とするが薄すぎなければよい。幅も厚みも経血の量によって、また位置によって、加減すればよい。ただ土台部分の幅を膣周辺で広くし過ぎると太ももの圧力により変形してしまうので、２ｃｍから３．５ｃｍくらいが使いやすいと思われる。突部分は、例えば高さは、臀部の方で、一番高いところで、３ｃｍくらい。前方では平らにする場合と、そうでない場合は０．５ｃｍくらいにするとよいだろう。高さを一定にするときは、１ｃｍくらいにして後方では土台無しにすると良いだろう。高さは溝に対して、浅過ぎず、深過ぎなければよい。幅は例えば０．５ｃｍから１ｃｍくらいとする。幅も高さも位置によって変化させてよい。全体の高さは、併用するナプキンから窪みまでくらいを目安とする。第５の実施の形態の山形状の本発明品においては、全体の幅は従来のナプキンと同じくらいか、それより狭くてよい。狭くてよいとしたのは、あまり幅広であっても、太ももによる圧力で押され狭くなるからである。突部分の高さは窪みにあたるくらいとする。突部分の幅は、１．５ｃｍくらいとする。実施の形態第１から第４に比べ突部分の幅が広いのは、この場合底面を下着に付着させているため、窪みから離れがちであるから、幅を広くすることにより、その突部分で、経血を受け止められるようにするためである。この場合においても、高さ、幅は位置によって変化させてよい。【００４２】  経血量が多い日用、少ない日用や、おりもの用や、体形が大きい人、小さい人など、それぞれに対応した、突部分や土台部分の大きさ、長さ、厚み、高さ、を変えた、本発明品を使い分ければ、ゴミとしての無駄を軽減できる。また、貼り付けるものと、付けないものも、状況に応じて使い分ければよい。大きさなどを変えた本発明品を、状況に応じて、第１から第４の実施の形態の場合でも、ナプキンと併用せずに使用してもよい。【００４３】  実施の形態第１から第３において、位置によって高さを変えない場合は、臀部側は土台が無い方がよい。溝の深さに対し突部分が低い場合、土台があると、それ以上溝に入り込むことができず、窪みへの密着を妨げることに成るため、臀部側は土台部分を無しにして、前方のみの土台で安定させるのである。臀部側の突部分に高さがある場合は、どちらでもよい。【００４４】  本発明品の素材は、例えば、トイレットペーパーでも従来のナプキンやタンポンに用いられているものでもよい。水に流さない方が環境によいなら、流れないものでもよいが、流せるものであれば、実施の形態第１から第３の場合、どこにも付着させず全く独立しているため、股を横に大きく開けば手を使わず、自動的に落ちるので楽である。【００４５】  折り畳み式の本発明品について、形状の例をあげると、二つ折りにしたときに、臀部側の突部分が高くなるように、平らな状態のときに見て、図６にあるように、後方を幅広にしておく。例えば６ｃｍ以上とする。あらかじめ二つ折りの状態にしてある折り畳み式の本発明品の場合は、その突部分を平らに��ってしまわないように加工しておいてもよく、要は、販売の時点ではコンパクトにしてあり、使用時に土台と成る部分を形成し立体化できるようにしておけばよいのである。平らな状態のものにしても、使用時に中心で二つ折りしやすいように、突部分と成る箇所を加工しておいてもよい。また、二つ折りと言っても、二つのものを重ねることによって、二つ折りのような形状にしたものでもよい。【００４６】  実施の形態第１から第３において、図７のように、少しでもゴミを減らすため容量を少なくし、内側を空洞にしてもよい。横から圧力がかかるとその分が圧縮されるが、突部分は溝にはまっているので影響は無いし、変形しても、凸状の形を保つので問題無い。【００４７】  本発明は、以上の実施の形態や実施例に限定されるものではない。
【産業上の利用可能性】
【００４８】  本発明は、トイレットペーパーなどを取り扱う製紙業界、また生理用品を扱う業界、エコロジーショップなどを展開する業界などで取り扱うことができる。また生理がある人すべてが利用できるので、日本だけでなく幅広く利用される可能性がある。また生理は地球上に女性がいる限り無くならないので、一過性のものではなく、末永く利用される可能性がある。
【図面の簡単な説明】
【００４９】
【図１】  本発明の第１の実施の形態の外観斜視図
【図２】  本発明の第２の実施の形態の外観斜視図
【図３】  本発明の第３の実施の形態の、組み立て方法を表す図
【図４】  本発明の第４の実施の形態の外観斜視図
【図５】  本発明の第５の実施の形態を示す図であり、Ａは外観斜視図、Ｂは断面図。
【図６】  本発明の第３の実施の形態の一例の展開図
【図７】  本発明の実施例の断面図
【図８】  本発明の第３の実施の形態の他の例の外観斜視図
【符号の説明】
【００５０】    １    土台となるような部分
２    突部分
【図１】
2006239356.tif 000003
【図２】
2006239356.tif 000004
【図３】
2006239356.tif 000005
【図４】
2006239356.tif 000006
【図５】
2006239356.tif 000007
【図６】
2006239356.tif 000008
【図７】
2006239356.tif 000009
【図８】
2006239356.tif 000010